(57)【要約】【課題】  屋根フレームを開閉して休息中の犬の取り出し若しくは内部への収容がしやすく、しかも屋根形でかわいらしく、メンテナンスも容易なペットケージ並びに給水可能で、ペットケージに取付可能な給水器を提供すること。【解決手段】  ペットケージ１は、前面パネル２１，後面パネル２２，左右の側面パネル２３，２４を有して上面が開放され且つ前面パネル２１と後面パネル２２の上端部がパネルの中心に向かって山形となるように形成されてなる周面部２０と、この周面部２０の上面開放側に装着されてなる屋根フレーム１０とを有し、屋根フレーム１０は、屋根パネル１２を有して周面部２０の上端部側に屋根形を呈して開閉可能な構成とした。【選択図】        図２
2005021148.tif 000002
【特許請求の範囲】
【請求項１】
前面パネル、後面パネル、左右の側面パネルを有して上面が開放され且つ前記前面パネルと前記後面パネルの上端部が前記パネルの中心に向かって山形となるように形成されてなる周面部と、前記周面部の上面開放側に装着されてなる屋根フレームとを有し、
前記屋根フレームは、屋根パネルを有して前記周面部の上端部側に屋根形を呈して開閉可能な構成としたこと
を特徴とするペットケージ。
【請求項２】
前記屋根フレームは、上フレームと下フレームとを有し、前記屋根パネルを上フレームと下フレーム間で狭持する構成としたことを特徴とする請求項１記載のペットケージ。
【請求項３】
前記屋根パネルは、円柱状の線材からなる横桟と縦桟とで構成して前記横桟と縦桟との間に開口部が形成されたことを特徴とする請求項１又は請求項２記載のペットケージ。
【請求項４】
前記屋根フレームは、１対で構成され、これら１対の屋根フレームは、ヒンジ部で連結され該ヒンジ部を中心として回動可能であることを特徴とする請求項１乃至請求項３記載のうち少なくとも１記載のペットケージ。
【請求項５】
前記１対の屋根フレームが連結されるヒンジ部は、両端側に前記周面部の上端部と連結固定可能な固定部材を有することを特徴とする請求項１乃至請求項４記載のうち少なくとも１記載のペットケージ。
【請求項６】
前記固定部材には、内部に挿通可能な軸部材を有することを特徴とする請求項４又は請求項５記載のペットケージ。
【請求項７】
前記固定部材は、前記周面部が有する縦桟を保持して横揺れを防止する横揺れ防止部、横桟に規制されて縦方向の揺れを防止する縦揺れ防止部を有することを特徴とする請求項５又は請求項６記載のペットケージ。
【請求項８】
前記屋根フレームは、前記周面部の上端部側と連結する場合に前記周面部の上端部を案内するための凹部が形成され、且つ該凹部内に所定の間隔で案内リブが形成されたことを特徴とする請求項１乃至請求項７のうち、少なくとも１記載のペットケージ。
【請求項９】
前記凹部内に形成された案内リブは、前記周面部の上端部案内開始面側が肉薄で、案内方向に沿って肉厚に形成されてなることを特徴とする請求項８記載のペットケージ。
【請求項１０】
前記屋根フレームは、前記周面部の上端部側と連結固定若しくは解除するためのロック部材を有することを特徴とする請求項１乃至請求項９記載のうち、少なくとも１記載のペットケージ。
【請求項１１】
前記ロック部材は、操作部と、該操作部と一体に形成された基部と、該基部上で前記操作部近傍に設けられた係止凸部と、前記基部の先端側に設けられたフック部とからなり、前記屋根フレーム内を摺動可能に設けられたことを特徴とする請求項１０記載のペットケージ。
【請求項１２】
前記ロック部材は、操作部の移動時において、前記屋根フレームに形成された係止凹部内に位置する係止凸部が係止部の付勢に抗して移動してロック位置に移動すると同時に、前記屋根フレームの凹部内に遊嵌されてなる前記周面部の上端部内に前記基部が挿通されて前記屋根フレームと前記周面部とをロック状態とすることを特徴とする請求項１０又は請求項１１記載のペットケージ。
【請求項１３】
前記ロック部材がロック状態となった場合には、前記ロック部材の基部の先端側に形成されたフック部が前記周面部の上端部と係合してロック解除が容易に行われないように規制したことを特徴とする請求項１０乃至請求項１２記載のうち、少なくとも１記載のペットケージ。
【請求項１４】
前面パネル、後面パネル、左右の側面パネルを有して上面が開放され且つ前記前面パネルと前記後面パネルの上端部が前記パネルの中心に向かって山形となるように形成されてなる周面部と、前記周面部の上面開放側でヒンジ部を中心として開閉可能に構成された１対の屋根フレームとを有し、
前記１対の屋根フレームは、閉状態では、前記ヒンジ部の中心を通る水平面よりも下面に位置し、開状態では、前記水平面と直交する垂直面とのなす角度よりも大なる角度に回動可能な構成としたこと
を特徴とするペットケージ。
【請求項１５】
前記１対の屋根フレームは、一方の屋根フレームが開状態の時は、他方の屋根フレームは、閉状態となっており、一方の屋根フレームが開状態で、且つ前記水平面と直交する垂直面とのなす角度よりも大なる角度に回動した場合には、前記開状態である一方の屋根フレーム端部が閉状態である他方の屋根フレームに係止して所定角度以上の回動を規制する構成としたことを特徴とする請求項１４記載のペットケージ。
【請求項１６】
前記ヒンジ部を挟んで前記一方の屋根フレームと他方の屋根フレームの上面が交差する斜面から前記ヒンジ部の外周面が突出しないように前記ヒンジ部の軸中心位置を前記周面部側に位置するように設けたことを特徴とする請求項１４又は請求項１５記載のペットケージ。
【請求項１７】
前記屋根フレームは、屋根パネルと一体に開閉することを特徴とする請求項１４乃至請求項１６記載のうち、少なくとも１記載のペットケージ。
【請求項１８】
給水側凹部を囲み且つ切欠きが形成された側壁と、貯留部を囲む貯留部側壁とを有しており、前記側壁に横桟と係止可能なフックと、前記側壁と前記貯留部側壁との境界近傍に縦桟と係合可能な取付固定部を設けたことを特徴とする給水器。
【請求項１９】
前記給水器は、給水側凹部を囲む側壁と、上部が開放されてなる貯留部を囲む貯留部側壁と、前記側壁及び貯留部側壁の下部で一体に形成されてなる底部とを有しており、前記側壁と前記貯留部側壁との境界近傍に前記縦桟と係合する取付固定部と、前記取付固定部の近傍で前記底部に前記横桟と係合して固定する取付凹部を形成したことを特徴とする請求項１８記載の給水器。
【請求項２０】
給水側凹部を囲み且つ境界部を有する側壁と、貯留部を囲む貯留部側壁とを備え、前記側壁と前記貯留部側壁との間の前記境界部には固定パーツが脱着可能な係合部が設けられ、前記側壁と前記貯留部側壁との境界近傍に縦桟と係合可能な取付固定部が設けられたことを特徴とする給水器。
【請求項２１】
前記取付固定部は、小さな突起及び大きな突起でなることを特徴とする請求項２０記載の給水器。
【請求項２２】
前記給水側凹部は、ペットボトルの先端側に取り付けられた取付キャップが嵌挿可能であることを特徴とする請求項１８乃至請求項２１記載のうち、少なくとも１に記載の給水器。
【請求項２３】
前面パネル、後面パネル、左右の側面パネルのそれぞれが横桟と縦桟とを有して上面が開放され且つ前記前面パネルと前記後面パネルの上端部が前記パネルの中心に向かって山形となるように形成されてなる周面部と、前記周面部の上面開放側に屋根形を呈して開閉自在に装着される屋根フレームとを有し、
前記周面部の一部開口に挿通されて着脱自在に取付可能な給水器を有すること
を特徴とする給水器を備えたペットケージ。
【発明の詳細な説明】
【技術分野】
【０００１】
本発明は、例えば、中型犬若しくはそれ以上の大きさの愛玩動物のような比較的大きな場合であっても休息ができるペットケージに関し、特に、屋根フレームを開閉して休息中の犬の取り出し若しくは内部への収容がしやすく、しかも屋根形でかわいらしく、メンテナンスも容易なペットケージに関する。また、本発明は、愛玩動物に給水可能な給水器に関すると共に、前述したペットケージに取付可能な給水器を備えたペットケージに関する。
【背景技術】
【０００２】
図１９は、従来のペットケージを示す分解斜視図である。図１９に示すように、周面部１０３は、開口部１０４ａを有する前面板１０４、前面板１０４と対向配置される後面板１０５、前面板１０４と後面板１０５の側面に配置される１対の側面板１０６，１０６、及び前面板１０４の開口部１０４ａの開口面を開閉可能な前面扉１０７を有する。周面板１０３の底面には、底トレー１０８が装着される。また、周面部１０３の上部開放面には、一部開口部１０１ａを有する上枠１０１が嵌合されて固定される。そして、開口部１０１ａには、開閉機構１０２ａを備えた１対の扉１０２が装着される。（特許文献１に係る図３参照）。また、給水器に関するものとしては、例えば、特許文献２及び特許文献３に関するものが知られている。
【０００３】
【特許文献１】特開２００２−３８８０６号公報（図３及び図９）
【特許文献２】実開昭６２−３０５６４号公報
【特許文献３】実開昭６０−７２１６４号公報
【発明の開示】
【発明が解決しようとする課題】
【０００４】
しかしながら、従来のペットケージは、周面部１０３の上部開放側を扉１０２を設けて開閉可能な構成としたものであるが、猫や兎、小型犬などの愛玩動物のように比較的小さな場合には周面部１０３に加わる衝撃などはそれ程問題はないが、中型犬若しくはそれ以上の大きさの愛玩動物のような場合には、周面部１０３の側壁面へ加わる衝撃も大きく、周面部１０３の上部開放側をそれらの衝撃に耐えうるようにするために上枠１０１で確実に補強する構成となっている。したがって、ペットケージの形態も周面部１０３の上部開放側と確実に取付固定するために全体が箱形で構成されて制限されたものとなっており、美観的にみてもかわいらしいものではない。しかも、このような上枠１０１を用いて扉１０２を取り付けるため、開口部１０１ａの開口面積が狭くなる。また、この種のペットケージは、愛玩動物を飼育するものであるから、かわいらしい形態のものが熱望されているが、中型犬若しくはそれ以上の大きさの愛玩動物のような大きな場合には、全体が箱形の形態のものが多く、しかもメンテナンスも箱形のものが容易であるとの観点から、それ以外の形態のものが発案されていないという状況にある。
【０００５】
そこで、本発明は、上記のような課題を解決するためになされたものであって、小型犬のみならず、中型犬若しくはそれ以上の大きさの愛玩動物のような比較的大きな場合であっても休息ができるペットケージを提供することを目的としており、特に、屋根形でかわいらしく、組立も容易で、しかもメンテナンスも楽なペットケージを提供することを目的とするものである。また、また、本発明は、愛玩動物に給水可能な給水器を提供することを目的とすると共に、前述したペットケージに取付可能な給水器を備えたペットケージを提供することを目的とする。
【課題を解決するための手段】
【０００６】
本発明によるペットケージは、前面パネル、後面パネル、左右の側面パネルを有して上面が開放され且つ前記前面パネルと前記後面パネルの上端部が前記パネルの中心に向かって山形となるように形成されてなる周面部と、前記周面部の上面開放側に装着されてなる屋根フレームとを有し、前記屋根フレームは、屋根パネルを有して前記周面部の上端部側に屋根形を呈して開閉可能な構成としたものである。
【０００７】
また、本発明によるペットケージの屋根フレームは、上フレームと下フレームとを有し、前記屋根パネルを上フレームと下フレーム間で狭持する構成としたものである。
【０００８】
また、本発明によるペットケージの屋根パネルは、円柱状の線材からなる横桟と縦桟とで構成して前記横桟と縦桟との間に開口部が形成されたものである。
【０００９】
また、本発明によるペットケージの屋根フレームは、１対で構成され、これら１対の屋根フレームは、ヒンジ部で連結され該ヒンジ部を中心として回動可能である。
【００１０】
また、本発明によるペットケージの１対の屋根フレームが連結されるヒンジ部は、両端側に前記周面部の上端部と連結固定可能な固定部材を有するものである。
【００１１】
また、本発明によるペットケージの固定部材には、内部に挿通可能な軸部材を有する。
【００１２】
また、本発明によるペットケージの固定部材は、前記周面部が有する縦桟を保持して横揺れを防止する横揺れ防止部、横桟に規制されて縦方向の揺れを防止する縦揺れ防止部を有するものである。
【００１３】
また、本発明によるペットケージの屋根フレームは、前記周面部の上端部側と連結する場合に前記周面部の上端部を案内するための凹部が形成され、且つ該凹部内に所定の間隔で案内リブが形成されたものである。
【００１４】
また、本発明によるペットケージの凹部内に形成された案内リブは、前記周面部の上端部案内開始面側が肉薄で、案内方向に沿って肉厚に形成されてなるものである。
【００１５】
また、本発明によるペットケージの屋根フレームは、前記周面部の上端部側と連結固定若しくは解除するためのロック部材を有するものである。
【００１６】
また、本発明によるペットケージのロック部材は、操作部と、該操作部と一体に形成された基部と、該基部上で前記操作部近傍に設けられた係止凸部と、前記基部の先端側に設けられたフック部とからなり、前記屋根フレーム内を摺動可能に設けられたものである。
【００１７】
また、本発明によるペットケージのロック部材は、操作部の移動時において、前記屋根フレームに形成された係止凹部内に位置する係止凸部が係止部の付勢に抗して移動してロック位置に移動すると同時に、前記屋根フレームの凹部内に遊嵌されてなる前記周面部の上端部内に前記基部が挿通されて前記屋根フレームと前記周面部とをロック状態とするものである。
【００１８】
また、本発明によるペットケージのロック部材がロック状態となった場合には、前記ロック部材の基部の先端側に形成されたフック部が前記周面部の上端部と係合してロック解除が容易に行われないように規制したものである。
【００１９】
また、本発明によるペットケージの前面パネル、後面パネル、左右の側面パネルを有して上面が開放され且つ前記前面パネルと前記後面パネルの上端部が前記パネルの中心に向かって山形となるように形成されてなる周面部と、前記周面部の上面開放側でヒンジ部を中心として開閉可能に構成された１対の屋根フレームとを有し、前記１対の屋根フレームは、閉状態では、前記ヒンジ部の中心を通る水平面よりも下面に位置し、開状態では、前記水平面と直交する垂直面とのなす角度よりも大なる角度に回動可能な構成としたものである。
【００２０】
また、本発明によるペットケージの１対の屋根フレームは、一方の屋根フレームが開状態の時は、他方の屋根フレームは、閉状態となっており、一方の屋根フレームが開状態で、且つ前記水平面と直交する垂直面とのなす角度よりも大なる角度に回動した場合には、前記開状態である一方の屋根フレーム端部が閉状態である他方の屋根フレームに係止して所定角度以上の回動を規制する構成としたものである。
【００２１】
また、本発明によるペットケージは、前記ヒンジ部を挟んで前記一方の屋根フレームと他方の屋根フレームの上面が交差する斜面から前記ヒンジ部の外周面が突出しないように前記ヒンジ部の軸中心位置を前記周面部側に位置するように設けたものである。
【００２２】
また、本発明によるペットケージの屋根フレームは、屋根パネルと一体に開閉するものである。
【００２３】
本発明による給水器は、給水側凹部を囲み且つ切欠きが形成された側壁と、貯留部を囲む貯留部側壁とを有しており、前記側壁に横桟と係止可能なフックと、前記側壁と前記貯留部側壁との境界近傍に縦桟と係合可能な取付固定部を設けたものである。
【００２４】
また、本発明による給水器は、給水側凹部を囲む側壁と、上部が開放されてなる貯留部を囲む貯留部側壁と、前記側壁及び貯留部側壁の下部で一体に形成されてなる底部とを有しており、前記側壁と前記貯留部側壁との境界近傍に前記縦桟と係合する取付固定部と、前記取付固定部の近傍で前記底部に前記横桟と係合して固定する取付凹部を形成したものである。
【００２５】
また、本発明による給水器は、給水側凹部を囲み且つ境界部を有する側壁と、貯留部を囲む貯留部側壁とを備え、前記側壁と前記貯留部側壁との間の前記境界部には固定パーツが脱着可能な係合部が設けられ、前記側壁と前記貯留部側壁との境界近傍に縦桟と係合可能な取付固定部が設けられたものである。
【００２６】
また、本発明による給水器の取付固定部は、小さな突起及び大きな突起でなるものである。
【００２７】
また、本発明による給水器の給水側凹部は、ペットボトルの先端側に取り付けられた取付キャップが嵌挿可能である。
【００２８】
本発明による給水器を備えたペットケージは、前面パネル、後面パネル、左右の側面パネルのそれぞれが横桟と縦桟とを有して上面が開放され且つ前記前面パネルと前記後面パネルの上端部が前記パネルの中心に向かって山形となるように形成されてなる周面部と、前記周面部の上面開放側に屋根形を呈して開閉自在に装着される屋根フレームとを有し、前記周面部の一部開口に挿通されて着脱自在に取付可能な給水器を有するものである。
【発明の効果】
【００２９】
本発明によれば、小型犬のみならず、中型犬若しくはそれ以上の大きさの愛玩動物のような比較的大きな場合であっても休息が可能である。また、本発明によれば、屋根形でかわいらしく、組立も容易で、しかもメンテナンスも楽である。また、本発明によれば、給水器の脱着が容易であるので、取付及び取り外しに作業が簡単で素早く行うことができる。
【発明を実施するための最良の形態】
【００３０】
以下図面を参照して、本発明によるペットケージの最良の形態について説明する。図１は、本発明による屋根形のペットケージを示す斜視図、図２は、本発明による屋根形のペットケージを示す分解斜視図、図３は、本発明による屋根フレームの取付方法を説明する説明図、図４は、本発明による屋根フレームのヒンジ部、固定部材の構成を示す説明図、図５は、屋根フレームの構成を示す分解斜視図、図６は、本発明による屋根フレームの固定部材の構成を示す一部断面図、図７は、本発明による屋根フレームの開閉状態を説明する一部断面を含む説明図、図８は、本発明による屋根フレームのロック部材の構成を示す一部断面図であり、（ａ）は、ロック解除状体を示す図、（ｂ）は、ロック状態へ移動した状態を示す図、図９は、屋根フレームを開いた状態を示す斜視図である。
【００３１】
図１乃至図４に示すように、本発明によるペットケージ１は、屋根形でかわいらしく美観的にも優れており、小型犬のみならず、中型犬若しくはそれ以上の大きさの愛玩動物のような比較的大きな場合であっても安心して休息が可能である。しかも、屋根パネル１２を有する屋根フレーム１０を１対設けて、周面部２０の上端部側、すなわち上部開放側と屋根フレーム１０とが直接連結固定若しくは解除可能な構成とし、且つ組立が容易で、中型犬若しくはそれ以上の大きさの愛玩動物であっても十分な衝撃に耐えうる強度を有するペットケージであることを特徴とするものである。
【００３２】
図１乃至図４に示すように、周面部２０は、前面パネル２１，後面パネル２２，左右の側面パネル２３，２４を有する。前面パネル２１，後面パネル２２，左右の側面パネル２３，２４のそれぞれは、複数の横桟２１ａ，２２ａ，２３ａ，２４ａと、複数の縦桟２１ｂ，２２ｂ，２３ｂ，２４ｂとを有しており、複数の横桟２１ａ，２２ａ，２３ａ，２４ａと複数の縦桟２１ｂ，２２ｂ，２３ｂ，２４ｂとでパネル面を構成し、これらの横桟２１ａ，２２ａ，２３ａ，２４ａと縦桟２１ｂ，２２ｂ，２３ｂ，２４ｂとの間は通気性を確保するための開口部が形成されている。また、複数の横桟２１ａ，２２ａ，２３ａ，２４ａと、複数の縦桟２１ｂ，２２ｂ，２３ｂ，２４ｂとの配列構成は、任意の配列で構成することが可能であり、製造工程などの段階で適宜配列を行えばよい。なお、複数の横桟２１ａ，２２ａ，２３ａ，２４ａと、複数の縦桟２１ｂ，２２ｂ，２３ｂ，２４ｂは、以下の説明では、「複数の」文字を省略して説明するが、「単数」の場合も含むものである。そして、これらの横桟２１ａ，２２ａ，２３ａ，２４ａと縦桟２１ｂ，２２ｂ，２３ｂ，２４ｂは、円柱状の線材でなり、愛玩動物が噛んだりした場合であっても害のない被膜処理がなされている。前面パネル２１，後面パネル２２，左右の側面パネル２３，２４は、それぞれが連結部材２８（図１参照）を介して連結されて全体が箱状の周面部２０が構成される。そして、前面パネル２１及び後面パネル２２の上面開放側は、前面パネル２１と後面パネル２２の上端部がパネルの中心に向かって山形となるように形成されている。また、前面パネル２１には、愛玩動物が出入りする開閉扉２５が図示せぬ開閉機構により前面側に開閉可能な構成となっている。なお、前面パネル２１，後面パネル２２，左右の側面パネル２３，２４は、円柱状の線材からなる横桟２１ａ，２２ａ，２３ａ，２４ａと縦桟２１ｂ，２２ｂ，２３ｂ，２４ｂで構成するのではなく、合成樹脂などで一体成形してもよい。
【００３３】
また、周面部２０の下面には、トレー２６が着脱可能に装着されて底部を構成するようになっており、このトレー２６の側面に２つづつ、計４個設けられた係止部２６ｂによって周面部２０の左右の側面パネル２３，２４の横桟２３ａ，２４ａに係止されて固定される構成となっている。したがって、係止部２６ｂの係止を解除すれば、トレー２６を周面部２０から離脱させることができ、周面部２０及びトレー２６の掃除などのメンテナンスを行うことが可能である。
【００３４】
また、屋根フレーム１０は、屋根パネル１２を有している。図５に示すように、屋根パネル１２は、円柱状の線材からなり、且つ被膜処理がなされている横桟１２ａと、この横桟１２ａと同一の素材でなり、且つ横桟１２ａと交差させて配置される縦桟１２ｂとを有し、しかも横桟１２ａと縦桟１２ｂとの間には、通気性を確保するための開口部が形成されている。屋根パネル１２は、屋根フレーム１０の上フレーム１０ａと、下フレーム１０ｂとの間に位置して、上フレーム１０ａと、下フレーム１０ｂとの間で保持されるようになっている。上フレーム１０ａと下フレーム１０ｂとは、嵌合して結合されるようになっており、図５に示すように、ロック部材１５も装着されるようになっている。また、上フレーム１０ａ、下フレーム１０ｂは、それぞれ合成樹脂で一体に形成されている。なお、下フレーム１０ｂは、図５では一体成形されているが、分割して形成するようにしてもよい。なお、屋根パネル１２、上フレーム１０ａ、下フレーム１０ｂは、別体で構成されているが、合成樹脂などで一体に形成してもよい。
【００３５】
図３及び図４から明らかなように、１対の屋根フレーム１０は、ヒンジ部１３を介して回動可能に連結されている。ヒンジ部１３は、図４に示すように、円筒状の軸部材１６が挿通されるようになっている。軸部材１６によりヒンジ部１３は、十分な強度が保たれる。また、図６に示すように、軸部材１６の両端は、固定部材１４内にも挿通されて嵌挿される。固定部材１４内に嵌挿された軸部材１６は、取付固定手段であるねじ１７により螺合結合されて１対の屋根フレーム１０を回動可能で、且つ連結することができる。なお、ヒンジ部１３は、円筒状の軸部材１６が挿通される構成となっているが、十分な強度が保たれれば軸部材１６を用いない構成としてもよい。
【００３６】
また、図３及び図６に示すように、１対の屋根フレーム１０は、固定部材１４により周面部２０に確実に取付固定される。すなわち、図６に示す固定部材１４に形成された袴状の横揺れ防止部１４ａ内に前面パネル２１と後面パネル２２の頂部が挿通される。そして、図３及び図６に示すように、前面パネル２１の横桟２１ａと、後面パネル２２の横桟２２ａの下部より縦揺れ防止部としてのねじ１８を固定部材１４に螺合結合させる。こうすることによって、前面パネル２１，後面パネル２２と固定部材１４とは、縦揺れ防止部としてのねじ１８により確実に屋根フレーム１０を固定することが可能であり、しかも固定部材１４の横揺れ防止部１４ａが前面パネル２１の縦桟２１ｂ及び後面パネルの縦桟２２ｂとを袴状に保持して横揺れの防止をはかっており、また、前面パネル２１の横桟２１ａ，後面パネル２２の横桟２２ａの下部より縦揺れ防止部としてのねじ１８を固定部材１４に螺合結合させたので、縦方向の揺れを規制して防止することができる。
【００３７】
図３、図４、図６に示すように、固定部材１４によって１対の屋根フレーム１０は、前面パネル２１，後面パネル２２と確実に連結固定し、ヒンジ部１３を回転中心として回動可能な構成となるが、ヒンジ部１３と離間する屋根フレーム１０の端部側と、左右の側面パネル２３，２４の上端部との連結固定若しくは解除を行うロック部材１５について、図７、図８を参照して説明する。
【００３８】
図７、図８に示すように、ロック部材１５は、操作部１５ａと、この操作部１５ａと一体に形成された基部１５ｃと、基部１５ｃ上で操作部１５ａ近傍に設けられた係止凸部１５ｂと、基部１５ｃの先端側に設けられたフック部１５ｄとからなり、屋根フレーム１０内を摺動可能に設けられている。ロック部材１５は、操作部１５ａの移動時において、屋根フレーム１０に形成された係止凹部１０ｄ内に位置する係止凸部１５ｂが係止部１０ｃの付勢に抗して移動、つまり係止凸部１５ｂの弾性力を利用して係止部１０ｃを逃げてロック位置に移動する。それと同時に、屋根フレーム１０の凹部１１内に遊嵌されてなる周面部２０の左右の側面パネル２３，２４の上端部内に基部１５ｃが挿通されて屋根フレーム１０と周面部２０の左右の側面パネル２３，２４とをロック状態とする。また、ロック部材１５がロック状態となった場合には、ロック部材１５の基部１５ｃの先端側に形成されたフック部１５ｄが周面部２０の上端部と係合してロック解除が容易に行われないように規制する。
【００３９】
次に、本発明によるペットケージ１は、屋根パネル１２を有する屋根フレーム１０と周面部２０とが直接連結する構成となっている点にその特徴を有している。すなわち、周面部２０は、前面パネル２１，後面パネル２２，左右の側面パネル２３，２４を有し、それぞれが横桟２１ａ，２２ａ，２３ａ，２４ａと、縦桟２１ｂ，２２ｂ，２３ｂ，２４ｂとを有している。したがって、屋根フレーム１０のロック部材１５が確実に作動可能な位置に左右の側面パネル２３，２４の横桟２３ａ，２４ａと、縦桟２３ｂ，２４ｂとを案内する案内手段を有している。すなわち、図７及び図８に示すように、屋根フレーム１０の上フレーム１０ａと下フレーム１０ｂとで凹部１１が形成されている。この凹部１１内には、所定の間隔で案内リブ１０ｂ１が形成されている。案内リブ１０ｂ１は、周面部２０の左右の側面パネル２３，２４の横桟２３ａ，２４ａと、縦桟２３ｂ，２４ｂの上端部を案内しやすいように、上端部案内開始面側が肉薄で、案内方向に沿って肉厚に形成されている。したがって、周面部２０の左右の側面パネル２３，２４の横桟２３ａ，２４ａと、縦桟２３ｂ，２４ｂの上端部の一部が案内リブ１０ｂ１に当接すると、斜面に沿って案内されて凹部１１内の所定の空間内に案内される。そして、凹部１１内に周面部２０の左右の側面パネル２３，２４の横桟２３ａ，２４ａと、縦桟２３ｂ，２４ｂの上端部が案内された後は、前述したロック部材１５の操作部１５ａを作動させてロックさせる。ロックの解除を行う場合には、ロック部材１５の操作部１５ａを逆方向に作動させればよい。
【００４０】
次に、本発明によるペットケージ１は、１対の屋根フレーム１０により屋根形を形成したので、かわいらしく、美観的にも優れているものであるが、更にヒンジ部１５の位置を周面部２０側に近づけることによって屋根形を形成するようにしたものである。すなわち、図７を参照して説明すると、ヒンジ部１３を挟んで一方の屋根フレーム１０と他方の屋根フレーム１０の上面が交差する斜面、すなわち仮想の斜面からヒンジ部１３の外周面が突出しないようにヒンジ部１３の軸中心位置を周面部２０側に位置するように近づけるようにしたものである。このようにすることによって、１対の屋根フレーム１０が交差する斜面（仮想斜面）からヒンジ部１３の外周面が突出せず、美観的にも優れた屋根形を形成することが可能である。なお、本発明によるペットケージ１のヒンジ部１３は、仮想の斜面からヒンジ部１３の外周面が突出しないようにしているが、図７に示すように、ヒンジ部１３の外周面が僅かに突出している場合も含むものである。要するに、ヒンジ部１３の外周面を突出させないようにして美観的にも優れた屋根形を形成するものであるが、後述するように、ヒンジ部１３の軸中心を周面部２０側に近づけるようにして屋根フレーム１０が所定角度以上の回動を規制する構成としている点にもその特徴を有するものである。
【００４１】
しかして、本発明によるペットケージ１は、ヒンジ部１３の位置を周面部２０側に位置するように近づけるようにして美観的にも優れたものとなっているが、ペットケージ１内に収容される愛玩動物を収容したり、取り出したりする場合に屋根フレーム１０が所定角度以上開く必要のないことに着目してヒンジ部１３の軸中心を周面部２０側に近づけるようにして屋根フレーム１０が所定角度以上の回動を規制する構成としたものである。けだし、ペットケージ１内に愛玩動物を収容する場合においては、片手で愛玩動物（通常、暴れたりする場合もある）を抱え、且つ片手で屋根フレーム１０を開けるが、このような場合には、ペットケージ１内に愛玩動物を入れたらすぐに屋根フレーム１０を閉める必要があるので、屋根フレーム１０が他方の屋根フレーム１０と接触するほど開いた状態では、その作業性がすこぶる悪くなる。しかも、本発明によるペットケージ１のように屋根形の場合にはなおさらである。そこで、本発明によるペットケージ１内に愛玩動物を収容するに必要十分な角度以上開かないように屋根フレーム１０の回動を規制する構成としたものである。
【００４２】
図７に示すように、１対の屋根フレーム１０は、一方の屋根フレーム１０が開状態の時は、他方の屋根フレーム１０は、閉状態となる関係にある。そして、一方の屋根フレーム１０が開状態で、且つヒンジ部１３の軸中心を通る水平面と直交する垂直面とのなす角度よりも大なる角度、すなわち図７に示す角度θ２まで回動した場合には、開状態である一方の屋根フレーム１０の端部が閉状態である他方の屋根フレーム１０の上端部に係止して所定角度以上の回動しないように規制される。その結果、ペットケージ１内に愛玩動物を収容したらすぐに屋根フレーム１０を片手であっても容易に閉めることが可能である。
【００４３】
また、１対の屋根フレーム１０は、閉状態では、ヒンジ部１３の軸中心を通る水平面よりも下面に位置、すなわち、図７に示す角度−θの位置となっている。したがって、ペットケージ１内に愛玩動物を収容する際に周面部２０の周面側が低く構成されているので、愛玩動物の収容、取り出しが容易である。したがって、本発明の実施の形態によるペットケージ１は、屋根フレーム１０が屋根パネル１２と一体に開閉するので、開状態若しくは閉状態時においても必要十分な開口面積を確保している（図９参照）。
【００４４】
次に、本発明によるペットケージ１の組立方法について、図１乃至図４、図６を参照して説明する。
【００４５】
図１乃至図４に示すように、前面パネル２１，後面パネル２２，左右の側面パネル２３，２４をそれぞれ図１に示す連結部材２８を用いて周面部２０を組み立てる。そして、周面部２０をトレー２６上に載置して係止部２６ｂによって周面部２０と連結固定する。次に、図３及び図４に示すように、ヒンジ部１３の軸部材１６の両端にねじ１７を用いて固定部材１４を螺合結合して固定する。そして、図６に示すように、固定部材１４を周面部２０の上端部に嵌挿させてからねじ１８により横桟２１ａ及び横桟２２ａの下部に挿入して固定する。このようにすることによって、１対の屋根フレーム１０は、周面部２０の上端部とねじ１８を挿入して固定するだけで容易に連結することができる。したがって、１対の屋根フレーム１０は、ねじ１８とロック部材１５によって確実に周面部２０に連結することができる。そして、ペットケージ１の周面部２０の横揺れ防止は、図６に示すように、横揺れ防止部１４ａによってなされ、また縦揺れ防止は、縦揺れ防止部としてのねじ１８によってなされる。
【００４６】
次に、本発明によるペットケージ１に装着可能で着脱自在な給水器３０について図１０乃至図１２を参照して説明する。図１０は、本発明による屋根形のペットケージに給水器を装着した状態を示す斜視図、図１１は、本発明による給水器の構成を示す説明図、図１２は、本発明による給水器にペットボトルを装着した状態を示す断面図である。
【００４７】
図１０に示すように、給水器３０は、左側の側面パネル２３に装着された状態を示しており、側面パネル２３の横桟２３ａと縦桟２３ｂとで形成される開口に挿通されて着脱自在に取付可能となっている。図１１に示すように、給水器３０は、給水側凹部３１ａを囲み、一部切欠き３１ｆを有し境界部としてのコーナ壁３１ｇを有する側壁３１ｃと、側壁３１ｃよりも低く貯留部３１ｂを囲む貯留部側壁３１ｄとを有して全体が靴型に形成されている。また、側壁３１ｃのコーナ壁３１ｇには、側面パネル２３の横桟２３ａと係止するフック３２が形成されている。そして、側壁３１ｃと貯留部側壁３１ｄとの境界近傍には、側面パネル２３の縦桟２３ｂと係合する取付固定部３３を設けている。図１１に示すように、この取付固定部３３は、縦桟２３ｂが円柱状の線材でなることから、この線材と係合するように凹溝が縦桟２３ｂの伸長方向に沿って所定の長さ、すなわち貯留部側壁３１ｄの高さ内で形成されている。前述したフック３２と取付固定部３３とで給水器３０を確実に固定して給水器３０の回転モーメントに耐え得るものとしている。また、図１２に示すように、給水器３０は、市販のペットボトル３５の先端側に取り付けられた取付キャップ３４を装着して給水が可能であり、この取付キャップ３４は給水側凹部３１ａ内へ嵌挿可能である。そして、ペットボトル３５内の水若しくは栄養剤等（液体）は、図１２に示すように、貯留部３１ｂ内に必要量給水される。この貯留部３１ｂ内の液体が減った場合には、順次ペットボトル３５内の液体が必要量補給される。
【実施例１】
【００４８】
次に、図１３は、本発明による給水器の第１の実施例を示す一部断面を含む説明図である。図１０乃至図１２に示す給水器と相違する点は、フック３２に代えて、給水器３０の底部３１ｅに取付凹部３６を形成した点である。
【００４９】
図１３に示すように、取付固定部３３の近傍で底部３１ｅに側面パネル２３の横桟２３ａと係合して固定する取付凹部３６を形成したものである。
【実施例２】
【００５０】
次に、本発明による給水器の第２の実施例について、図１４乃至図１７を参照して説明する。図１０乃至図１３と同一の構成及び機能を有する点については詳細な説明を省略し、相違する点について以下に説明する。図１４（ａ）は、本発明による給水器の固定パーツを取り付ける前の状態を示す斜視図、（ｂ）は、固定パーツを取り付けた後の状態を示す斜視図、図１５（ａ）は、本発明による給水器に固定パーツが組み込まれた状態の平面図、（ｂ）は、（ａ）の正面図、（ｃ）は、Ａ−Ａ断面を示す図、図１６（ａ）乃至（ｄ）は、本発明による給水器の組立状態を説明する説明図、図１７は、本発明による給水器の組立後の状態を示す断面図である。
図１０、図１４乃至図１７に示すように、本発明による給水器は、固定パーツ４０及び取付固定部３３の部位に特徴を有している。図１０から明らかなように、給水器３０は、左側の側面パネル２３に装着された状態を示しており、側面パネル２３の横桟２３ａと縦桟２３ｂとで形成される開口に挿通されて着脱自在に取付可能となっている。図１４、図１５に示すように、給水器３０は、給水側凹部３１ａを囲み且つ一部切欠き３１ｆ及び境界部としてのコーナ壁３１ｇを有し、ほぼＵ字状に形成されてなる側壁３１ｃと、側壁３１ｃよりも低く貯留部３１ｂを囲む貯留部側壁３１ｄとを有して全体が靴型に形成されている。前記切欠き３１ｆは、給水側凹部３１ａから貯留部側壁３１ｄ側に給水可能であれば、境界部としてのコーナ壁３１ｇの上部が一体に形成されてもよい。なお、境界部としてのコーナ壁３１ｇは、側壁３１ｃに含まれる概念として用いているが、側壁３１ｃ、貯留部側壁３１ｄとの境界部を明確にするために用いている。
【００５１】
また、側壁３１ｃには、その上面から一段下がった段部３１ｃ１が形成されており、この段部３１ｃ１は、境界部としてのコーナ壁３１ｇの上端面に続いている。そして、コーナ壁３１ｇの上端面には、固定パーツ４０の縦長の脱着部４０ａの凹溝４０ａ１が嵌挿して脱着可能な凸部３１ｇ１が１対形成されている。したがって、この凸部３１ｇ１に固定パーツ４０の脱着部４０ａの凹溝４０ａ１が嵌挿されると、後述の取付固定部３３と相まって、給水器３０の揺動が規制される。また、固定パーツ４０は、縦長の脱着部４０のほぼ中央から張り出した張出部４０ｂが設けられている。この張出部４０ｂの先端部には、脱着部４０ａとほぼ平行に形成された弓状の弧部４０ｃが形成されている。この弧部４０ｃの両端部には、円柱状の線材からなる縦桟２３ｂを包み込むように保持するＵ字状の保持部４０ｃ１が形成されている。そして、この保持部４０ｃ１は、Ｕ字状の先端部の幅は縦桟２３ｂの直径よりも狭くなっているので、保持する場合にはＵ字状の先端を弾性力に抗して押し広げて縦桟２３ｂを保持し、この保持された状態では縦桟２３ｂを摺動可能な構成となっている。
【００５２】
また、側壁３１ｃの境界部としてのコーナ壁３１ｇの下部と貯留部側壁３１ｄとの境界近傍には、側面パネル２３の縦桟２３ｂと係合する取付固定部３３が設けられている。この取付固定部３３は、図１６に示すように、縦桟２３ｂが円柱状の線材でなることから、この線材と係合するように大小の突起３３ａ，３３ｂが縦桟２３ｂの伸長方向に沿って所定の長さ、すなわち貯留部側壁３１ｄの高さ内で形成されている。すなわち、給水器３０をペットケージ１に取り付ける場合には、貯留部側壁３１ｄの側から挿入して、まず小さな突起３３ｂに給水器１を左右にずらしながら挿入して嵌め、縦桟２３ｂが小さな突起３３ｂを乗り越えたら大きな突起３３ａで位置決めされて固定される。
【００５３】
また、図１７に示すように、給水器３０は、市販のペットボトル３５の先端側に取り付けられた取付キャップ３４を装着して給水が可能であり、この取付キャップ３４は給水側凹部３１ａ内へ嵌挿可能である。そして、ペットボトル３５内の水若しくは栄養剤等（液体）は、図１７に示すように、貯留部３１ｂ内に必要量給水される。この貯留部３１ｂ内の液体が減った場合には、順次ペットボトル３５内の液体が必要量補給される。
【００５４】
次に、図１６を参照して、本発明による給水器の取付方法について説明する。
【００５５】
図１６（ａ）に示すように、固定パーツ４０の弧部４０ｃを縦桟２３ｂ，２３ｂ間に挿入し、弧部４０ｃの保持部４０ｃ１を縦桟２３ｂ，２３ｂに嵌挿して取り付ける。次に、図１６（ｂ）に示すように、貯留部側壁３１ｄ側からペットケージ１の開口部に挿入して取付固定部３３の小さな突起３３ｂを給水器３０を左右にずらせながら乗り越えて大きな突起３３ａに当たって位置決めされるまで挿入する。そして、図１６（ｃ）に示すように、固定パーツ４０を縦桟２３ｂ，２３ｂを摺動させて下降させてコーナ壁３１ｇの凸部３１ｇ１に脱着部４０ａの凹溝４０ａ１を嵌挿させて装着する。そして、図１６（ｄ）に示すように、ペットボトル３５を装着する。このように、固定パーツ４０の脱着を行えば、小さな突起３３ｂを乗り越えさせるだけの力で簡単に給水器３０を容易に取付取り外しを行うことが可能である。また、小さな突起３３ｂが摩耗したような場合であっても大きな突起３３ａが位置決めを行い、かつ固定パーツ４０が揺動を規制するので、耐寿命性を有する。そして、図１７に示すように、ペットボトル３５を装着して給水を行う。
【実施例３】
【００５６】
次に、本発明による給水器の第３の実施例について、図１８を参照して説明する。図１４乃至図１７と同一の構成及び機能を有する点については詳細な説明を省略し、相違する点について以下に説明する。図１８（ａ）は、本発明による給水器の固定パーツを取り付ける前の状態を示す斜視図及び固定パーツの一部拡大断面を示す図、（ｂ）は、固定パーツを取り付けた後の状態を示す斜視図及び固定パーツの一部拡大断面を示す図である。本発明による給水器の第３の実施例は、側壁３１ｃと貯留部側壁３１ｄが同じ高さで形成されている点、並びに固定パーツ５０の構成が異なる点以外は、第２の実施例と実質的に同一である。
【００５７】
図１８（ａ）に示すように、固定パーツ５０は、略逆Ｕ字状で所定の肉厚を有してなり、その内側には、所定の間隔で横桟の直径よりも狭くなるように突起５０ａが形成されており、また、外周の一方の側には、境界部としてのコーナ壁３１ｇの上部に形成された凸部３１ｇ１と係合可能な鉤状の係合部５０ｂが形成されている。そして、図１８（ａ）に示すように、給水器３０を所定の位置に装着した後、図１８（ａ）に一部拡大断面図で示すように、固定パーツ５０の略逆Ｕ字状の開口側から横桟に向かって上方から順次装着する。そして、図１８（ｂ）に示すように、略逆Ｕ字状の内側の突起５０ａ間に横桟が位置すると、鉤状の係合部５０ｂも凸部３１ｇ１と係合して給水器３０が位置決め固定される。なお、本発明による給水器の第３の実施例における固定パーツ５０は、横桟の上方から嵌挿させるような構成となっているが、係合部５０ｂに横方向からスライドさせて係合させるような構成としてもよい。
【図面の簡単な説明】
【００５８】
【図１】本発明による屋根形のペットケージを示す斜視図である。
【図２】本発明による屋根形のペットケージを示す分解斜視図である。
【図３】本発明による屋根フレームの取付方法を説明する説明図である。
【図４】本発明による屋根フレームのヒンジ部、固定部材の構成を示す説明図である。
【図５】屋根フレームの構成を示す分解斜視図である。
【図６】本発明による屋根フレームの固定部材の構成を示す一部断面図である。
【図７】本発明による屋根フレームの開閉状態を説明する一部断面を含む説明図である。
【図８】本発明による屋根フレームのロック部材の構成を示す一部断面図であり、（ａ）は、ロック解除状体を示す図、（ｂ）は、ロック状態へ移動した状態を示す図である。
【図９】屋根フレームを開いた状態を示す斜視図である。
【図１０】本発明による屋根形のペットケージに給水器を装着した状態を示す斜視図である。
【図１１】本発明による給水器の構成を示す説明図である。
【図１２】本発明による給水器にペットボトルを装着した状態を示す断面図である。
【図１３】本発明による給水器の第１の実施例を示す一部断面を含む説明図である。
【図１４】（ａ）は、本発明による給水器の固定パーツを取り付ける前の状態を示す斜視図、（ｂ）は、固定パーツを取り付けた後の状態を示す斜視図である。
【図１５】（ａ）は、本発明による給水器に固定パーツが組み込まれた状態の平面図、（ｂ）は、（ａ）の正面図、（ｃ）は、Ｃ−Ｃ断面図を示す図である。
【図１６】（ａ）乃至（ｄ）は、本発明による給水器の組立状態を説明する説明図である。
【図１７】本発明による給水器の組立後の状態を示す断面図である。
【図１８】（ａ）は、本発明による給水器の固定パーツを取り付ける前の状態を示す斜視図及び固定パーツの一部拡大断面を示す図、（ｂ）は、固定パーツを取り付けた後の状態を示す斜視図及び固定パーツの一部拡大断面を示す図である。
【図１９】従来のペットケージを示す分解斜視図である。
【符号の説明】
【００５９】
１                ペットケージ
１０              屋根フレーム
１０ａ            上フレーム
１０ｂ            下フレーム
１０ｂ１          案内リブ
１０ｃ            係止部
１０ｄ            係止凹部
１１              凹部
１２              屋根パネル
１２ａ            横桟
１２ｂ            縦桟
１３              ヒンジ部
１４              固定部材
１４ａ            横揺れ防止部
１５              ロック部材
１５ａ            操作部
１５ｂ            係止凸部
１５ｃ            基部
１５ｄ            フック部
１６              軸部材
１７              ねじ
１８              ねじ（縦揺れ防止部）
２０              周面部
２１              前面パネル
２１ａ            横桟
２１ｂ            縦桟
２２              後面パネル
２２ａ            横桟
２２ｂ            縦桟
２３              側面パネル
２３ａ            横桟
２３ｂ            縦桟
２４              側面パネル
２４ａ            横桟
２４ｂ            縦桟
２５              開閉扉
２６              トレー
２６ａ            底面部
２６ｂ            係止部
２８              連結部材
３０              給水器
３１ａ            給水側凹部
３１ｂ            貯留部
３１ｃ            側壁
３１ｄ            貯留部側壁
３１ｅ            底部
３１ｆ            切欠き
３１ｇ            コーナ壁（境界部）
３１ｇ１          凸部
３２              フック
３３              取付固定部
３４              取付キャップ
３５              ペットボトル
３６              取付凹部
４０              固定パーツ
４０ａ            脱着部
４０ａ１          凹溝
４０ｂ            張出部
４０ｃ            弧部
４０ｃ１          保持部
５０              固定パーツ
１０１            上枠
１０１ａ          開口部
１０２            扉
１０２ａ          開閉機構
１０３            周面部
１０４            前面板
１０４ａ          開口部
１０５            後面板
１０６            側面板
１０７            前面扉
１０８            底トレー
【図１】
2005021148.tif 000003
【図２】
2005021148.tif 000004
【図３】
2005021148.tif 000005
【図４】
2005021148.tif 000006
【図５】
2005021148.tif 000007
【図６】
2005021148.tif 000008
【図７】
2005021148.tif 000009
【図８】
2005021148.tif 000010
【図９】
2005021148.tif 000011
【図１０】
2005021148.tif 000012
【図１１】
2005021148.tif 000013
【図１２】
2005021148.tif 000014
【図１３】
2005021148.tif 000015
【図１４】
2005021148.tif 000016
【図１５】
2005021148.tif 000017
【図１６】
2005021148.tif 000018
【図１７】
2005021148.tif 000019
【図１８】
2005021148.tif 000020
【図１９】
2005021148.tif 000021